(57)【要約】【課題】  短時間に正確な時刻修正を行うことのできる腕装着型端末を提供する。【解決手段】  標準電波を受信して時刻データを取得する標準電波時刻取得手段（Ｓ１）と、標準電波時刻取得手段によって取得された時刻データに基づいて内部時計を修正する第１時刻修正手段（Ｓ４）と、外部機器から時刻データを受信する外部時刻取得手段（Ｓ１１）と、外部時刻取得手段によって取得した時刻と標準電波時刻取得手段によって取得した時刻との時間差を求めて記憶する時間差データ記憶制御手段（Ｓ１２）と、外部時刻取得手段によって取得された時刻データを時間差データ記憶手段に記憶された時間差データに基づいて補正して、補正した時刻データで内部時計を修正する第２時刻修正手段とを備える。【選択図】        図４
2011047727.tif 000002
【特許請求の範囲】
【請求項１】
現在時刻データを計数する時刻計数手段と、
標準電波を受信してこの標準電波から時刻データを取得する標準電波時刻取得手段と、
この標準電波時刻取得手段により取得された時刻データに基づいて前記時刻計数手段の現在時刻データを修正する第１時刻修正手段と、
外部機器から時刻データを受信する外部時刻取得手段と、
前記外部機器から受信した時刻データと前記時刻計数手段の現在時刻データとの時間差を表わす時間差データを求めて記憶する時間差データ記憶制御手段と、
前記時間差データ記憶制御手段により前記時間差データが記憶された後に前記外部機器から時刻データを受信した場合に、前記外部機器から受信した時刻データを前記記憶された時間差データに基づいて補正して、補正された時刻データで前記時刻計数手段の現在時刻データを修正する第２時刻修正手段と、
を備えることを特徴とする腕装着型端末。
【請求項２】
前記時刻データの送り元である外部機器の識別情報を取得する外部機器識別情報取得手段を備え、
前記時間差データ記憶制御手段は、
前記時間差データを前記時刻データの送り元である外部機器の識別情報と対応づけて記憶させ、
前記第２時刻修正手段は、
外部機器から受信した時刻データを、当該外部機器の識別情報に対応づけられて記憶されている前記時間差データに基づき補正して、前記現在時刻データの修正を行うことを特徴とする請求項１記載の腕装着型端末。
【請求項３】
前記外部時刻取得手段により前記外部機器から時刻データが取得された際、当該外部機器の時刻データに基づき求められた前記時間差データが有効に記憶されてなく、且つ、前記第１時刻修正手段により前記現在時刻データの修正が行なわれてから所定時間を経過している場合に、当該外部機器の時刻データに基づき前記時刻計数手段の現在時刻データを修正する第３時刻修正手段と、
前記第３時刻修正手段により前記現在時刻データが修正される場合に低精度な時刻であることを外部に報知する低精度報知手段と、
を備えていることを特徴とする請求項１記載の腕装着型端末。
【請求項４】
前記時間差データ記憶制御手段は、
前記外部時刻取得手段により前記外部機器から時刻データが取得された際、前記第１時刻修正手段により前記現在時刻データの修正が行われてから所定時間以内であり、且つ、前記外部機器の時刻データに基づき求められた前記時間差データが有効に記憶されてない場合に、当該外部機器の時刻データに基づき前記時間差データを求めて記憶することを特徴とする請求項１記載の腕装着型端末。
【請求項５】
前記標準電波時刻取得手段による標準電波の受信の処理を、定期的に実行せず、外部からの操作指令に基づき実行する動作モードを有していることを特徴とする請求項１記載の腕装着型端末。
【請求項６】
前記外部時刻取得手段により前記外部機器から時刻データを受信する前に、当該外部機器に対して当該外部機器が計数している時刻データの更新処理を実行させる指令を出力する時刻修正指令出力手段を備えていることを特徴とする請求項１記載の腕装着型端末。
【請求項７】
前記外部機器と無線通信を行う無線通信手段を備え、
前記外部時刻取得手段は、前記無線通信手段を介した無線通信により前記外部機器から時刻データを取得することを特徴とする請求項１記載の腕装着型端末。
【請求項８】
時刻計数手段を備えた端末が前記時刻計数手段により計数される現在時刻データを修正する時刻修正方法において、
標準電波を受信してこの標準電波から時刻データを取得する標準電波時刻取得ステップと、
この標準電波時刻取得ステップにより取得された時刻データに基づいて前記時刻計数手段の現在時刻データを修正する第１時刻修正ステップと、
外部機器から時刻データを受信する外部時刻取得ステップと、
前記外部機器から受信した時刻データと前記時刻計数手段の現在時刻データとの時間差を表わす時間差データを求めて記憶する時間差データ記憶制御ステップと、
前記時間差データ記憶制御ステップにより前記時間差データが記憶された後に前記外部機器から時刻データを受信した場合に、前記外部機器から受信した時刻データを前記記憶された時間差データに基づいて補正して、補正された時刻データで前記時刻計数手段の現在時刻データを修正する第２時刻修正ステップと、
を含むことを特徴とする時刻修正方法。
【発明の詳細な説明】
【技術分野】
【０００１】
この発明は、計時機能を備えた腕装着型端末、および、その時刻修正方法に関する。
【背景技術】
【０００２】
以前より、計時機能を備えた腕装着型端末として、標準電波を受信してその時刻コードに基づき時刻の修正を行う電子時計がある。また、従来、腕時計にブルートゥース（Bluetooth；登録商標）などの近距離無線通信手段を搭載し、これにより携帯電話との間で通信を行って携帯電話から時刻データを受信することで、腕時計の時刻を修正するといった技術の提案が行われている（例えば、特許文献１）。
【０００３】
また、本願発明に関連する技術として、特許文献２には、コンピュータからデジタルカメラへ時刻データを送って、デジタルカメラで計時していた時刻と、コンピュータから取得した時刻とが一致しない場合に、時刻情報に信頼性がない旨の表示を行う機能について開示されている。
【先行技術文献】
【特許文献】
【０００４】
【特許文献１】特開２００９−１１８４０３号公報
【特許文献２】特開２００５−３３２３６２号公報
【発明の概要】
【発明が解決しようとする課題】
【０００５】
標準電波を受信して時刻を修正する方式では、精度の高い時刻修正が可能であるが、標準電波の受信に１〜３分程度の長い時間を要するという課題がある。また、電波環境の悪いところでは、標準電波の受信に失敗して時刻の修正ができない場合があるという課題もある。
【０００６】
また、携帯電話から時刻データを取得して時刻を修正する方式では、近距離無線通信によって時刻データを短時間で取得できるという利点がある一方、携帯電話に保持されている時刻データには携帯電話の仕様によって精度のバラツキがあるため、通信先の携帯電話によっては正確な時刻修正ができないという欠点がある。携帯電話の中には、通信ネットワークを介して外部の時刻サーバから時刻データを取得して内蔵時計の時刻を更新するものがあり、このような方式の携帯電話の中には内蔵時計の時刻に常に１秒近い遅れが生じるものも存在する。
【０００７】
この発明の目的は、短時間に正確な時刻修正を行うことのできる腕装着型端末および時刻修正方法を提供することにある。
【課題を解決するための手段】
【０００８】
上記目的を達成するため、請求項１記載の発明は、
現在時刻データを計数する時刻計数手段と、
標準電波を受信してこの標準電波から時刻データを取得する標準電波時刻取得手段と、
この標準電波時刻取得手段により取得された時刻データに基づいて前記時刻計数手段の現在時刻データを修正する第１時刻修正手段と、
外部機器から時刻データを受信する外部時刻取得手段と、
前記外部機器から受信した時刻データと前記時刻計数手段の現在時刻データとの時間差を表わす時間差データを求めて記憶する時間差データ記憶制御手段と、
前記時間差データ記憶制御手段により前記時間差データが記憶された後に前記外部機器から時刻データを受信した場合に、前記外部機器から受信した時刻データを前記記憶された時間差データに基づいて補正して、補正された時刻データで前記時刻計数手段の現在時刻データを修正する第２時刻修正手段と、
を備えることを特徴とする腕装着型端末である。
【０００９】
請求項２記載の発明は、請求項１記載の腕装着型端末において、
前記時刻データの送り元である外部機器の識別情報を取得する外部機器識別情報取得手段を備え、
前記時間差データ記憶制御手段は、
前記時間差データを前記時刻データの送り元である外部機器の識別情報と対応づけて記憶させ、
前記第２時刻修正手段は、
外部機器から受信した時刻データを、当該外部機器の識別情報に対応づけられて記憶されている前記時間差データに基づき補正して、前記現在時刻データの修正を行うことを特徴としている。
【００１０】
請求項３記載の発明は、請求項１記載の腕装着型端末において、
前記外部時刻取得手段により前記外部機器から時刻データが取得された際、当該外部機器の時刻データに基づき求められた前記時間差データが有効に記憶されてなく、且つ、前記第１時刻修正手段により前記現在時刻データの修正が行なわれてから所定時間を経過している場合に、当該外部機器の時刻データに基づき前記時刻計数手段の現在時刻データを修正する第３時刻修正手段と、
前記第３時刻修正手段により前記現在時刻データが修正される場合に低精度な時刻であることを外部に報知する低精度報知手段と、
を備えていることを特徴としている。
【００１１】
請求項４記載の発明は、請求項１記載の腕装着型端末において、
前記時間差データ記憶制御手段は、
前記外部時刻取得手段により前記外部機器から時刻データが取得された際、前記第１時刻修正手段により前記現在時刻データの修正が行われてから所定時間以内であり、且つ、前記外部機器の時刻データに基づき求められた前記時間差データが有効に記憶されてない場合に、当該外部機器の時刻データに基づき前記時間差データを求めて記憶することを特徴としている。
【００１２】
請求項５記載の発明は、請求項１記載の腕装着型端末において、
前記標準電波時刻取得手段による標準電波の受信の処理を、定期的に実行せず、外部からの操作指令に基づき実行する動作モードを有していることを特徴としている。
【００１３】
請求項６記載の発明は、請求項１記載の腕装着型端末において、
前記外部時刻取得手段により前記外部機器から時刻データを受信する前に、当該外部機器に対して当該外部機器が計数している時刻データの更新処理を実行させる指令を出力する時刻修正指令出力手段を備えていることを特徴としている。
【００１４】
請求項７記載の発明は、請求項１記載の腕装着型端末において、
前記外部機器と無線通信を行う無線通信手段を備え、
前記外部時刻取得手段は、前記無線通信手段を介した無線通信により前記外部機器から時刻データを取得することを特徴としている。
【００１５】
請求項８記載の発明は、
時刻計数手段を備えた端末が前記時刻計数手段により計数される現在時刻データを修正する時刻修正方法において、
標準電波を受信してこの標準電波から時刻データを取得する標準電波時刻取得ステップと、
この標準電波時刻取得ステップにより取得された時刻データに基づいて前記時刻計数手段の現在時刻データを修正する第１時刻修正ステップと、
外部機器から時刻データを受信する外部時刻取得ステップと、
前記外部機器から受信した時刻データと前記時刻計数手段の現在時刻データとの時間差を表わす時間差データを求めて記憶する時間差データ記憶制御ステップと、
前記時間差データ記憶制御ステップにより前記時間差データが記憶された後に前記外部機器から時刻データを受信した場合に、前記外部機器から受信した時刻データを前記記憶された時間差データに基づいて補正して、補正された時刻データで前記時刻計数手段の現在時刻データを修正する第２時刻修正ステップと、
を含むことを特徴としている。
【発明の効果】
【００１６】
本発明に従うと、腕装着型端末の現在時刻データを、外部機器の時刻データを利用して、短時間で高精度に修正できるという効果がある。
【図面の簡単な説明】
【００１７】
【図１】本発明の実施形態の通信システムを示す構成図である。
【図２】実施形態の電子時計の内部構成を示すブロック図である。
【図３】実施形態の携帯電話の内部構成を示すブロック図である。
【図４】電子時計のＣＰＵにより実行される標準電波による修正処理の制御手順を示すフローチャートである。
【図５】電子時計のＣＰＵにより実行される携帯電話との通信による時刻修正処理の制御手順を示すフローチャートである。
【発明を実施するための形態】
【００１８】
以下、本発明の実施の形態を図面に基づいて説明する。
【００１９】
図１には、本発明の実施形態の通信システムの構成図を示す。
【００２０】
この実施形態の通信システム１は、腕装着型端末としての電子時計４０と、外部機器としての携帯電話１０とから構成されるものである。携帯電話１０は、基地局との無線通信機能に加えて、ブルートゥースなどの近距離無線通信機能を有している。電子時計４０は、時計本体とバンドとを有する腕時計であり、標準電波の受信機能に加えて、ブルートゥースなどの近距離無線通信機能を有し、携帯電話１０とデータ通信を行うことが可能になっている。
【００２１】
図２は、本発明の実施形態の電子時計４０の内部構成を示したブロック図である。また、図３は、本発明の実施形態の携帯電話１０の内部構成を示したブロック図である。
【００２２】
電子時計４０は、図２に示すように、機器の全体的な制御を行うＣＰＵ（中央演算処理装置）４１と、ＣＰＵ４１が実行する制御プログラムや制御データを格納したＲＯＭ（Read Only Memory）４２と、ＣＰＵ４１に作業用のメモリ空間を提供するＲＡＭ（Random Access Memory）４３と、複数の操作ボタンを有し外部から指令を入力する操作用のスイッチ４４と、現在時刻データを計数する時刻計数手段としての計時回路４５と、電子時計４０本体の正面部に設けられ時刻表示や種々の機能表示を行うＬＣＤ（液晶表示部）４６と、ＬＣＤ４６を駆動する液晶ドライバ４７と、アンテナＡＮ４１を介して近距離無線通信を行うブルートゥースモジュール４８（外部時刻取得手段および無線通信手段）と、ブルートゥースモジュール４８を介して送受信されるデータに対してシリアル／パラレル変換等のデータ処理を行うＵＡＲＴ（Universal Asynchronous Receiver Transmitter）４９と、振動によりユーザに通知を行う振動モータ５０およびそのドライバ５１と、発光点滅等によりユーザに通知を行ったり文字盤を照らしたりする発光ダイオード５２およびそのドライバ５３と、ブザー音によりユーザに通知を行うピエゾ素子５４およびそのドライバ５５と、アンテナＡＮ４２を介して標準電波を受信してタイムコードを抽出する標準電波受信回路５７（標準電波時刻取得手段）と、ＣＰＵ４１と各部との間で信号をやり取りするバス５６等を備えている。
【００２３】
携帯電話１０は、図３に示すように、機器の全体的な制御を行うＣＰＵ１１と、ＣＰＵ１１が実行する制御プログラムや制御データを格納したＲＯＭ１２と、ＣＰＵ１１に作業用のメモリ空間を提供するＲＡＭ１３と、複数の操作キーを有する操作部１４と、種々の機能表示を行うＬＣＤ（液晶表示部）１５およびその表示ドライバ１６と、通話時の音声入出力を行うスピーカ１７およびマイク１８と、入出力される音声信号とデジタルデータとの相互変換を行うコーデック１９と、アンテナＡＮ１１を介して基地局との間で無線信号の送受信を行うＲＦ送受信回路２０と、コーデック１９から入出力される通話音声のデジタルデータや種々の送受信データの変調および復調処理を行う通信回路２１と、アンテナＡＮ１２を介して近距離無線通信を行うブルートゥースモジュール２２と、ブルートゥースモジュール２２を介して送受信されるデータに対してシリアル／パラレル変換等のデータ処理を行うＵＡＲＴ２３と、振動により着信を知らせる振動モータ２４およびそのドライバ２５と、ヒンジ１０ａ（図１）を有する開閉機構により本体の開閉状態を検出する本体開閉センサ２６と、現在時刻を計数する内蔵時計２７と、ＣＰＵ１１と各部との間で信号をやりとりするバス２８等を備えている。
【００２４】
電子時計４０と携帯電話１０においては、予めペアリング処理を行っておくことで鍵データが生成されてメモリに登録され、電子時計４０と携帯電話１０が近くにある状態で両者のブルートゥースモジュール４８，２２を作動させることで、自動的に通信リンクが確立して相互のデータ通信が可能とされる。
【００２５】
携帯電話１０のＲＯＭ１２には、電子時計４０から受信した時刻更新処理の要求に基づいてＲＦ送受信回路２０と通信回路２１を利用して基地局から外部の時刻サーバに接続して時刻データを取得し、この時刻データにより内蔵時計２７の時刻の更新を行う時刻更新処理のプログラム、および、電子時計４０から受信した時刻データの送信要求に基づきブルートゥース通信により時刻データを電子時計４０に送信する時刻データ送信プログラムが格納されている。ＣＰＵ１１は、電子時計４０からの要求に基づいてこれらのプログラムを実行する。
【００２６】
また、電子時計４０のＲＯＭ４２には、標準電波による時刻修正とそれに付随した処理とを行う“標準電波による修正処理”のプログラム、携帯電話１０からの時刻データに基づき時刻修正を行う“携帯電話からの時刻による修正処理”のプログラムが格納されている。
【００２７】
電子時計４０のＲＡＭ４３には、携帯電話１０から受信した時刻データの誤差を表わす時間差データを記憶する時間差データ記憶部４３ａが含まれている。この時間差データ記憶部４３ａには、携帯電話１０から受信した時刻データと、標準電波により取得された時刻データとの時間差を示す時間差データ、並びに、時刻データの送信元である携帯電話１０のデバイス番号（識別情報）が対応づけられて記憶されるようになっている。この時間差データ記憶部４３ａとＣＰＵ４１とにより、時間差データ記憶制御手段が構成される。
【００２８】
次に、電子時計４０の時刻修正に係る動作について、図４と図５のフローチャートを参照して説明する。
【００２９】
図４は、電子時計４０のＣＰＵ４１により実行される“標準電波による修正処理”の制御手順を示すフローチャートである。
【００３０】
この標準電波による修正処理は、例えば、スイッチ４４を介してユーザから指令が入力されたことに基づき開始される。この実施形態においては、標準電波による修正処理が定期的に実行されることはない。なお、動作モードを幾つも用意しておき、或る動作モードに設定されている場合にのみ、標準電波による修正処理が定期的に実行されずに手動により開始されるように構成しても良い。この標準電波による修正処理は、例えば、電子時計４０に電池を投入した当初や、ＬＣＤ４６に電波修正を促す表示がなされた場合などに、ユーザがスイッチ４４を操作して開始される。
【００３１】
図４の処理が開始されると、ＣＰＵ４１は、先ず、アンテナＡＮ４２と標準電波受信回路５７を作動させて標準電波の受信処理を行う（ステップＳ１）。そして、ステップＳ２へ移行し、標準電波からの時刻データの取得に成功したか否かを判別する。標準電波から時刻データの取得に失敗した場合は“ＮＯ”に分岐して、ＣＰＵ４１は、“標準電波受信失敗フラグ”をセットしてＲＡＭ４３に記憶させる（ステップＳ３）。このフラグのセットにより、ＣＰＵ４１は、標準電波による時刻修正が失敗したことを示す電波修正失敗マークをＬＣＤ４６上に表示させ、改めて標準電波による時刻修正を行うようにユーザに促す。そして、そのままこの標準電波による修正処理を終了する。
【００３２】
なお、標準電波の受信に失敗した場合、ＬＣＤ４６上に標識を点灯させるだけではなく、振動モータ５０やピエゾ素子５４等を用いてユーザに知らせるように構成することもできる。
【００３３】
一方、ステップＳ２の判別処理の結果、標準電波からの時刻データの取得に成功したら“ＹＥＳ”に分岐して、ＣＰＵ４１は、取得した時刻データに基づいて計時回路４５が保持する時刻データを修正する（ステップＳ４：第１時刻修正手段）。また、時刻修正から経過時間を計算できるように、この時刻修正を行った時刻をＲＡＭ４３に記憶する。次いで、ステップＳ５へ移行し、“標準電波受信失敗フラグ”をリセットする。このリセットによってＬＣＤ４６上に電波修正失敗マークが表示されている場合に、このマークが消灯される。また、このステップＳ５においては、後述する低精度フラグ（ステップＳ３１参照）もリセットされ、ＬＣＤ４６上で低精度マークが点灯している場合に、このマークを消灯させる。
【００３４】
フラグをリセットしたら、次に、ステップＳ６へ移行して、ＣＰＵ４１は、電子時計４０と携帯電話１０との間のブルートゥース通信リンクが確立されている状態であるか否かを確認する。その結果、携帯電話１０との接続がなされていなければ、ステップＳ７へ移行し、携帯電話１０へ接続のリクエストを発信してリンク処理を行う。一方、既に通信リンクが確立された状態であればそのままステップＳ９へ移行する。
【００３５】
ステップＳ７でリンク処理を行ったら、ステップＳ８へ移行して、ＣＰＵ４１は携帯電話１０との通信リンクが成功したか否かを判別する。その結果、通信リンクが確立されなかったと判別されれば（“ＮＯ”）、そのまま時刻修正処理を終了する。一方、通信リンクが確立されたと判別されれば（“ＹＥＳ”）、ステップＳ９へ移行する。
【００３６】
携帯電話１０との通信リンクが確立されていることが確認されると、ＣＰＵ４１は、順次、携帯電話１０からデバイス番号（識別情報）を受信して（ステップＳ９：外部機器識別情報取得手段）、携帯電話１０に時刻データを更新するように指令を送る（ステップＳ１０：時刻修正指令出力手段）。この指令により、携帯電話１０は、基地局を介して通信ネットワーク上の時刻サーバと通信を行って携帯電話１０の内蔵時計２７の時刻データを更新する。
【００３７】
続いて、ＣＰＵ４１は、携帯電話１０に時刻データを要求して更新された時刻データを受信する（ステップＳ１１）。そして、標準電波から得られている正確な時刻と携帯電話１０の時刻データとの時間差を計算し、この時間差データを携帯電話１０のデバイス番号と対応づけて時間差データ記憶部４３ａに記憶させる（ステップＳ１２）。その後、標準電波による修正処理を終了する。
【００３８】
図５には、電子時計４０のＣＰＵ４１により実行される“携帯電話からの時刻による修正処理”のフローチャートを示す。
【００３９】
この携帯電話からの時刻による修正処理は、例えば、電子時計４０と携帯電話１０との通信リンクが確立されたタイミング、並びに、ユーザによる所定のスイッチ操作によって開始される。また、毎日所定の時刻に行われるようにしても良い。
【００４０】
携帯電話からの時刻による修正処理が開始されると、先ず、ＣＰＵ４１は、携帯電話１０との通信リンクが確立されているかを確認する（ステップＳ２１）。通信リンクが確立されていなければ、“ＮＯ”へ分岐して携帯電話とのリンク処理を行う（ステップＳ２２）。通信リンクが確立されていれば、“ＹＥＳ”へ分岐してステップＳ２４へ移行する。
【００４１】
携帯電話１０とのリンク処理が行われると（ステップＳ２２）、ＣＰＵ４１は、リンク処理が成功したか否かの判別処理を行い（ステップＳ２３）、携帯電話１０とのリンクの確立に失敗したと判別された場合は、そのまま携帯電話からの時刻による修正処理を終了する。携帯電話１０とのリンクの確立に成功した場合は、ステップＳ２４へ移行する。
【００４２】
ステップＳ２４へ移行すると、ＣＰＵ４１は、先ず、携帯電話１０からデバイス番号を受信する（外部機器識別情報取得手段）。次いで、ＣＰＵ４１は、携帯電話１０に時刻データを更新するように指令を送る（ステップＳ２５：時刻修正指令出力手段）。携帯電話１０は、この時刻データ更新指令を受けて、携帯電話１０の基地局を介して通信ネットワーク上の時刻サーバから時刻データを取得し、携帯電話１０が保持する時刻データを更新する。そして、ＣＰＵ４１は、携帯電話１０からこの更新された時刻データを受信する（ステップＳ２６）。
【００４３】
なお、携帯電話１０が頻繁に時刻修正を行っている場合には、携帯電話１０の内蔵時計２７の時刻は仕様上のズレはあるものの、時間経過に伴う誤差はさほど生じないので、ステップＳ２５の時刻修正指令の出力処理を省略するようにしても良い。
【００４４】
次に、ステップＳ２７へ移行すると、ＣＰＵ４１は、ステップＳ２４で取得した携帯電話１０のデバイス番号に対応づけられた時間差データが時間差データ記憶部４３ａに記憶されているか否かを確認する。記憶されていれば“ＹＥＳ”に分岐して、携帯電話１０から受信した時刻データに携帯電話１０のデバイス番号と対応づけられた時間差データを加算することによって補正する。そして、ＣＰＵ４１は、この補正された時刻に基づいて計時回路４５の保持する時刻データを修正する（ステップＳ２８：第２時刻修正手段）。
【００４５】
ステップＳ２７の判別処理で、携帯電話１０のデバイス番号に対応する時間差データが時間差データ記憶部４３ａに記憶されていないと判別されたら、“ＮＯ”に分岐する。ステップＳ２９へ移行し、前回標準電波を受信してから所定の時間内であるかどうか判別する。この所定の時間は、計時回路４５の保持する時刻が標準電波による時刻修正後にほぼ確実に正確な時刻と一致し続ける範囲を示すものであり、例えば２〜３時間に設定されている。
【００４６】
ステップＳ２９の判別処理で“ＹＥＳ”となり、前回の標準電波の受信から所定の時間が経過していないと判別されたら、計時回路４５の保持する時刻が標準電波による正確な時刻と同一であるとみなして、ＣＰＵ４１は、計時回路４５の時刻と携帯電話１０から取得した時刻との時間差を計算し、この時間差を携帯電話１０のデバイス番号と対応づけて時間差データ記憶部４３ａに記憶させる（ステップＳ３０）。そして、携帯電話からの時刻による修正処理を終了する。
【００４７】
ステップＳ２９の判別処理で、前回の標準電波の受信から所定の時間以上が経過していると判別されたら、“ＮＯ”へ分岐する。そして、ステップＳ３１へ移行して、ＣＰＵ４１は、低精度フラグをセットし、現在表示している時刻の精度が低いことを示す標識“低精度マーク”をＬＣＤ４６に点灯させる（低精度報知手段）。次いで、計時回路４５の時刻を携帯電話１０から取得した時刻に更新して（ステップＳ３２：第３時刻修正手段）、携帯電話からの時刻による修正処理を終了する。
【００４８】
以上のように、本実施形態の腕装着型端末では、標準電波を受信して精度の高い時刻データを取得するとともに、この標準電波から得られた時刻データと携帯電話１０から取得した時刻データとの時間差を記憶して、携帯電話１０の時刻データにこの時間差データを加算することで正確な現在時刻データを得ることができるので、日常的にはブルートゥース通信などの近距離通信を用いて携帯電話１０から時刻データを取得するだけで、精度の高い時刻修正処理を行うことができる。
【００４９】
また、携帯電話などからタイムゾーンの情報を併せて取得することによって、地方時の設定および表示を自動的に行うことができる。
【００５０】
また、携帯電話などの外部機器のデバイス番号を取得して時間差データと対応づけて時間差データ記憶部４３ａに記憶させることにより、複数の外部機器から時刻データを取得することができる。
【００５１】
また、標準電波を受信できなかったり、標準電波の時刻データと携帯電話１０の時刻データとの時間差データが記憶されていなかったりといった理由で時刻修正処理に失敗した場合は、高精度の時刻修正がなされていないことを示す表示がなされるので、ユーザが表示されている現在時刻の精度を認識することができるとともに、ユーザの都合の良いタイミングや場所で高精度の時刻修正をやり直すことができる。
【００５２】
また、一度標準電波を受信して携帯電話１０から受信する時刻との時間差データを取得すると、以降は標準電波を受信する必要がないので、建物の中などでも電波受信状況を気にすることなく時刻修正を行うことができる。
【００５３】
また、毎回標準電波の受信に長い時間を費やす必要がないので、標準電波の受信回路をオンする時間を短縮することによって電力の消費を抑えることができる。
【００５４】
また、携帯電話１０から時刻データを取得する際には、先ず、携帯電話１０に基地局と携帯電話１０との間で通信を行うよう要求し、携帯電話１０の時刻情報を更新させた後に携帯電話１０から時刻データを取得するので、携帯電話１０の内部での計時誤差の影響を受けずに高精度な時刻修正を行うことができる。
【００５５】
なお、本発明は、上記実施の形態に限られるものではなく、様々な変更が可能である。
例えば、上記の実施形態では無線通信手段としてブルートゥースのモジュールを例示したが、例えば、WibreeやZigBee（登録商標）などの各種の省電力短距離無線通信を適用することもできるし、また、独自規格の短距離無線通信や、短距離無線通信以外の他の無線通信を適用することも出来る。
【００５６】
また、上記の実施形態では腕装着型端末として電子時計を示したが、例えば、腕装着型電子歩数計の時計機能の時刻修正などにも利用可能である。また、外部機器として携帯電話を示したが、ＧＰＳ受信機能を有してＧＰＳ衛星から時刻情報を取得し内蔵時計の時刻を修正するＰＤＡ（Personal Data Assistant）などを適用することもできる。また、上記実施形態では、外部機器として、外部の時刻サーバから時刻データを取得する方式の携帯電話を示したが、基地局からの同期信号により時刻修正を行う方式の携帯電話でも同様に適用できる。その他、実施形態で示した細部等は発明の趣旨を逸脱しない範囲で適宜変更可能である。
【符号の説明】
【００５７】
１０  携帯電話
２２  ブルートゥースモジュール
２７  内蔵時計
４０  電子時計
４１  ＣＰＵ
４２  ＲＯＭ
４３  ＲＡＭ
４３ａ  時間差データ記憶部
４４  スイッチ
４５  計時回路
４６  ＬＣＤ
４８  ブルートゥースモジュール
５７  標準電波受信回路
【図１】
2011047727.tif 000003
【図２】
2011047727.tif 000004
【図３】
2011047727.tif 000005
【図４】
2011047727.tif 000006
【図５】
2011047727.tif 000007